(57)【要約】      （修正有）【課題】見た人に驚きを与え、紫外線カット効果がある傘を提供する。【解決手段】水を弾く撥水素材と吸水する素材、紫外線カット効果の素材の組み合わせにより、傘の表面布部分を骨部材に取り付けて形成し、傘表面が水に濡れると吸水素材部分と撥水素材部分の色の違いにより柄が浮き出たように見せることを特徴とする。【選択図】図２
0003153120.tif 000002
【実用新案登録請求の範囲】
【請求項１】
傘の表面布部分に水がかかると絵柄が出現する傘である。しかも細い線も鮮明に表現出来、何回使用しても変わらず同じように継続的効果が有ることを特徴とする。ＵＶ（紫外線）カット効果の有る傘。
（図面の説明）
（図１）無地傘で表面が濡れて無い状態の図である。
（図２）傘の表面が濡れた状態の絵柄が出ている図である。
（図３）細い線まで柄が出ている生地が水を弾いている拡大図である。
【請求項２】
水を弾く撥水素材と吸水する素材で、ＵＶ（紫外線）カット効果も有る素材の組み合わせにより形成されている事を特徴とする請求項１記載の傘。
【請求項３】
傘表面が水に濡れると吸水素材部分と撥水素材部分の色の違いにより柄が浮き出たように見せることを特徴とする請求項２記載の傘。
【請求項４】
傘表面の布部が乾燥している場合と、水に濡れた場合での変化を見せることを特徴とする請求項１記載の傘である。
【請求項５】
傘表面の布部に水分が含まれた場合細い線も表現でき、何回使用しても変わらない。紫外線を遮る効果もあることを特徴とするため晴雨兼用に使用できる請求項１記載の傘である。
【考案の詳細な説明】
【技術分野】
【０００１】  本考案は自然現象の雨や雪、紫外線から身を守る為の傘に関する。
【背景技術】
【０００２】一般に傘は模様をプリントしたり無地のもので水に濡れても模様が出たり変化するタイプは無かった。
【考案の開示】
【考案が解決しようとする課題】
【０００３】本考案は、傘の表面布部分が水に濡れると絵柄が鮮明に出現することにより、視覚的演出効果により見た人に衝撃と興味と驚きと楽しませる効果と、晴れた日には紫外線カットの効果がある。楽しく美容にも良い傘の提供を課題とする。
【課題を解決するための手段】
【０００４】撥水素材と吸水素材の組み合わせと、ＵＶ（紫外線）効果のある素材の構成により、傘の表面布部分が水に濡れると絵柄が出現し、その効果が継続的であることを特徴とするＵＶカット効果の有る傘。
【考案の効果】
【０００５】雨の日は外出しにくいものであるが、しかし『傘表面が濡れると絵柄が出る』『鮮明に細い線も表現できる』『継続使用でも変わらない効果がある』『紫外線を遮るＵＶカット効果が有り晴れた日にも使用できる』その意外性と便利性は使用する楽しみと見た人にも興味と驚きを提供する
【考案を実施するための最良の形態】
【０００６】以下、図をもって説明する
［図１］無地傘で表面が濡れて無い状態の図である。
普通の無地傘に見える、日傘として使用できる。
［図２］傘の表面が濡れた状態の図である。
絵模様が浮き出て現れた様に見える。
［図３］細い線まで柄が出ている生地が水を弾いている図である。
鮮明に絵模様が表現出来て細い線も表現できる。
繰り返し使用しても変わらない効果がある。
【実施例】
【０００７】傘の表面布部は撥水効果と吸水効果の組み合わせとＵＶ（紫外線）カットの効果で構成している。撥水効果と吸水効果のバランスにより、傘表面布部が水に濡れると鮮明な絵模様表現が出来て繰り返し使用しても変わらない効果を得る。日傘としても使用出来る。
【産業上の利用可能性】
【０００８】本考案は自然現象の雨や雪、紫外線から身を守る為の傘として使用できる
【図面の簡単な説明】
【図面の簡単な説明】
【０００９】
【図１】無地傘で表面が濡れて無い状態の側面図である。
【図２】傘の表面が濡れた状態の側面図である。
【図３】細い線まで柄が出ている生地が水を弾いている拡大図である。
【符号の説明】１  傘の表面
２  傘の表面の絵模様
３  傘の表面の絵模様の拡大
４  雨
【図１】
0003153120.tif 000003
【図２】
0003153120.tif 000004
【図３】
0003153120.tif 000005
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
水を弾く撥水素材と吸水する素材、紫外線カット効果の素材の組み合わせにより、傘の表面布部分を骨部材に取り付けて形成した事を特徴とする傘。
【請求項２】
傘表面が水に濡れると吸水素材部分と撥水素材部分の色の違いにより柄が浮き出たように見せることを特徴とする請求項１記載の傘。
【請求項３】
傘表面の布部が乾燥している場合と、水に濡れた場合での変化を見せることを特徴とする請求項１記載の傘。
【請求項４】
傘表面の布部に水分が含まれた場合でも細い線が表現でき、継続使用できることを特徴とする請求項１記載の傘。
【手続補正２】
【補正対象書類名】明細書
【補正対象項目名】全文
【補正方法】変更
【補正の内容】
【考案の詳細な説明】
【技術分野】
【０００１】本考案は自然現象の雨や雪、晴れた日は紫外線カットの傘に関する。
【背景技術】
【０００２】従来の傘は模様をプリントしたものや無地のものが存在していた。
【考案の開示】
【考案が解決しようとする課題】
【０００３】本考案は、傘の表面布部分が水に濡れると絵柄が鮮明に出現することにより、視覚的演出効果により見た人に衝撃と興味と驚きと楽しませる効果と、晴れた日には紫外線カットの効果があり。楽しく美容にも良い傘の提供をすることにある。
【課題を解決するための手段】
【０００４】布部材が骨部材に取り付けられ、撥水素材と吸水素材の組み合わせと、紫外線カット効果のある素材の構成により、傘の表面布部分が水に濡れると絵柄が出現し、その効果が継続的であることを特徴とする傘。
【考案の効果】
【０００５】雨の日は外出しにくいものであるが、しかし『傘表面が濡れると絵柄が出る』『鮮明に細い線も表現できる』『継続使用でも変わらない効果がある』『紫外線をカット出来るので晴れた日にも使用できる』その意外性と便利性は使用する楽しみと見た人にも興味と驚きを提供する
【考案を実施するための最良の形態】
【０００６】以下、図をもって説明する
〔図１〕無地傘で表面が濡れて無い状態の図である。
普通の無地傘に見える、日傘として使用できる。
〔図２〕傘の表面が濡れた状態の図である。
絵模様が浮き出て現れた様に見える。
〔図３〕細い線まで柄が出ている生地が水を弾いている図である。
鮮明に絵模様が表現出来て細い線も表現できる。
繰り返し使用しても変わらない効果がある。
【実施例】
【０００７】傘の表面布部を骨部材に取り付けて撥水効果と吸水効果の組み合わせと、紫外線カットの効果で構成している。撥水効果と吸水効果のバランスにより、傘表面布部が水に濡れると鮮明な絵模様表現が出来て継続使用しても変わらない効果を得る。晴れた日は日傘としても使用出来る。
【産業上の利用可能性】
【０００８】本考案は自然現象の雨や雪、紫外線から身を守る為の傘として広く適応が可能である。
【図面の簡単な説明】
【０００９】
【図１】無地傘で表面が濡れて無い状態の側面図である。
【図２】傘の表面が濡れた状態の側面図である。
【図３】細い線まで柄が出ている生地が水を弾いている拡大図である。
【符号の説明】  １  傘の表面
２  傘の表面の絵模様
３  傘の表面の絵模様の拡大
４  雨
【手続補正３】
【補正対象書類名】図面
【補正対象項目名】全図
【補正方法】変更
【補正の内容】
【図１】
0003153120.tif 000006
【図２】
0003153120.tif 000007
【図３】
0003153120.tif 000008